(57)【特許請求の範囲】
【請求項１】
レンズ光学領域に、遠方視力を補助するための遠用部と、近方視力を補助するための近用部と、これらの遠用部と近用部との間で度数を累進的に変化させた中間部と、を有する累進多焦点コンタクトレンズであって、
上記遠用部、上記中間部、上記近用部が上記レンズ光学領域の所定方向に沿って一方端側から他方端側へ順次配置され、
上記所定方向に沿う上記レンズ光学領域の度数分布が、下記式（１）に従って設定され、
上記所定方向は、上記累進多焦点コンタクトレンズの装用時における眼の縦方向であることを特徴とする累進多焦点コンタクトレンズの設計方法。
【数１】
0004807801.tif 000005
但し、式（１）中の各符号は下記のとおり定義する。
ＰｏｗｅｒＤｉｓｔ：度数分布（単位；Ｄ（ディオプター））
Ｐ−Ｐｏｗｅｒ：レンズ光学領域の一方端点の度数（単位；Ｄ）
Ｍａｘ−Ａｄｄ：レンズ光学領域の一方端点と他方端点との度数差（単位；Ｄ）
Ｂｎｆ：レンズ光学領域の一方端点から遠用部の遠用度数と近用部の近用度数の境界までの距離（単位；ｍｍ）
Ｗａｖｅ：度数変化係数（うねり度）
ｘ：レンズ光学領域の一方端点からの距離（単位；ｍｍ）
−２５Ｄ≦Ｐ−Ｐｏｗｅｒ≦＋２５Ｄ
±０Ｄ≦Ｍａｘ−Ａｄｄ≦＋８Ｄ
０．５ｍｍ≦Ｂｎｆ≦７ｍｍ
１≦Ｗａｖｅ≦８
【請求項２】
レンズ光学領域に、遠方視力を補助するための遠用部と、近方視力を補助するための近用部と、これらの遠用部と近用部との間で度数を累進的に変化させた中間部と、を有する累進多焦点コンタクトレンズであって、
上記遠用部、上記中間部、上記近用部が上記レンズ光学領域の所定方向に沿って一方端側から他方端側へ順次配置され、
上記所定方向に沿う上記レンズ光学領域の度数分布が、下記式（１）に従って設定され、
上記所定方向は、上記累進多焦点コンタクトレンズの装用時において眼の縦方向から顔の鼻側へ傾斜して設定されたことを特徴とする累進多焦点コンタクトレンズの設計方法。
【数１】
0004807801.tif 000006
但し、式（１）中の各符号は下記のとおり定義する。
ＰｏｗｅｒＤｉｓｔ：度数分布（単位；Ｄ（ディオプター））
Ｐ−Ｐｏｗｅｒ：レンズ光学領域の一方端点の度数（単位；Ｄ）
Ｍａｘ−Ａｄｄ：レンズ光学領域の一方端点と他方端点との度数差（単位；Ｄ）
Ｂｎｆ：レンズ光学領域の一方端点から遠用部の遠用度数と近用部の近用度数の境界までの距離（単位；ｍｍ）
Ｗａｖｅ：度数変化係数（うねり度）
ｘ：レンズ光学領域の一方端点からの距離（単位；ｍｍ）
−２５Ｄ≦Ｐ−Ｐｏｗｅｒ≦＋２５Ｄ
±０Ｄ≦Ｍａｘ−Ａｄｄ≦＋８Ｄ
０．５ｍｍ≦Ｂｎｆ≦７ｍｍ
１≦Ｗａｖｅ≦８
【請求項３】
上記累進多焦点コンタクトレンズは、上記所定方向に沿う端部側に、当該レンズの回転を防止する回転防止機構を備え、
上記回転防止機構は、上記累進多焦点コンタクトレンズの上記所定方向に沿う他方端側に設けられたプリズムバラストである
ことを特徴とする請求項１または２に記載の累進多焦点コンタクトレンズの設計方法。
【請求項４】
上記レンズ光学領域の表面と裏面の一方に、このレンズ光学領域の上記所定方向に沿って式（１）に従う度数分布が設定され、上記表面と裏面の他方が、乱視矯正機能を備えたトーリック面に形成されたことを特徴とする請求項１〜３のいずれかに記載の累進多焦点コンタクトレンズの設計方法。
【発明の詳細な説明】
【技術分野】
【０００１】
本発明は眼用レンズ、特に累進多焦点の遠近両用コンタクトレンズの設計方法に関する。
【背景技術】
【０００２】
遠近両用コンタクトレンズには、図１２に示すように、レンズ光学領域１０１の中央部に、遠方視力を補助するための遠用部１０２が、レンズ光学領域１０１の周辺部に、近用視力を補助するための近用部１０３が、これらの遠用部１０２と近用部１０３との間に度数が連続的に変化する中間部１０４がそれぞれ配置されて、レンズ光学領域１０１における度数が同心円状に分布された同時視型の遠近両用コンタクトレンズ１００が知られている（特許文献１）。【０００３】
また、遠近両用コンタクトレンズには、特許文献２に記載のように、レンズ光学領域の上方に遠用部が、下方に近用部がそれぞれ設けられた二焦点の交代視型のコンタクトレンズが知られている。更に、遠近両用コンタクトレンズには、特許文献３に記載のように、レンズ光学領域の上方に遠用部が、下方に近用部が、これらの遠用部と近用部の間に、遠用部と近用部との中間の度数を有する中間部が設けられた三焦点の交代視型コンタクトレンズが知られている。【０００４】
【特許文献１】特開昭５９−２０８５２４号公報
【特許文献２】米国特許第４６９３５７２号明細書
【特許文献３】英国特許第１０２５６７７号明細書
【発明の開示】
【発明が解決しようとする課題】
【０００５】
上記特許文献１に記載の遠近両用コンタクトレンズ１００では、図１２に示すように、度数分布が同心円状であることから、遠近両用コンタクトレンズ１００に方向性がなく、例えば眼の角膜上でコンタクトレンズ１００が回転しても支障がないよう構成されている。ところが、このような遠近両用コンタクトレンズ１００では、遠方視の際に眼の瞳孔１１０の上部にコンタクトレンズ１００の近用部１０３や中間部１０４が位置づけられるので、これらの近用部１０３や中間部１０４（特に近用部１０３）を通って瞳孔１１０に入る光により像のぼけやゴーストが発生し、明瞭な像が得られず、コントラストが低下する恐れがある。【０００６】
また、特許文献２、３に記載の二焦点あるいは三焦点の遠近両用コンタクトレンズには、度数の配分について具体的な記載がなく、度数配分が大雑把となっている。このため、遠用部と近用部間、あるいは遠用部、中間部、近用部間で度数変化による像の揺れやジャンプが発生しやすく、また、視線の変化やコンタクトレンズの動きに対応できないので像のぼけやゴーストが発生し易い。これらの結果、この特許文献２及び３に記載の遠近両用コンタクトレンズにおいても明瞭な像が得られない恐れがある。【０００７】
本発明の目的は、上述の事情を考慮してなされたものであり、遠用部及び近用部において安定した像を確保できると共に、像のぼけやゴースト等の発生を抑制して明瞭な像を得ることができる眼用レンズを提供することにある。
【課題を解決するための手段】
【０００８】
請求項１に記載の発明は、レンズ光学領域に、遠方視を補助するための遠用部と、近方視力を補助するための近用部と、これらの遠用部と近用部との間で度数を累進的に変化させた中間部と、を有する累進多焦点コンタクトレンズであって、上記遠用部、上記中間部、上記近用部が上記レンズ光学領域の所定方向に沿って一方端側から他方端側へ順次配置されていることを特徴とするものである。
【０００９】
さらに、請求項１に記載の発明は、上記所定方向に沿う上記レンズ光学領域の度数分布が、下記式（１）に従って設定されたことを特徴とするものである。
【数１】
0004807801.tif 000002
但し、式（１）中の各符号は下記のとおり定義する。
ＰｏｗｅｒＤｉｓｔ：度数分布（単位；Ｄ（ディオプター））
Ｐ−Ｐｏｗｅｒ：レンズ光学領域の一方端点の度数（単位；Ｄ）
Ｍａｘ−Ａｄｄ：レンズ光学領域の一方端点と他方端点との度数差（単位；Ｄ）
Ｂｎｆ：レンズ光学領域の一方端点から遠用部の遠用度数と近用部の近用度数の境界までの距離（単位；ｍｍ）
Ｗａｖｅ：度数変化係数（うねり度）
ｘ：レンズ光学領域の一方端点からの距離（単位；ｍｍ）
【００１０】
さらに、請求項１に記載の発明は、上記Ｐ−Ｐｏｗｅｒ、上記Ｍａｘ−Ａｄｄ、上記Ｂｎｆ、上記Ｗａｖｅの値の範囲が、
−２５Ｄ≦Ｐ−Ｐｏｗｅｒ≦＋２５Ｄ
±０Ｄ≦Ｍａｘ−Ａｄｄ≦＋８Ｄ
０．５ｍｍ≦Ｂｎｆ≦７ｍｍ
１≦Ｗａｖｅ≦８
であることを特徴とするものである。
【００１２】
さらに、請求項１に記載の発明は、上記所定方向が、上記累進多焦点コンタクトレンズの装用時における眼の縦方向であることを特徴とするものである。
【００１３】
請求項２に記載の発明は、レンズ光学領域に、遠方視力を補助するための遠用部と、近方視力を補助するための近用部と、これらの遠用部と近用部との間で度数を累進的に変化させた中間部と、を有する累進多焦点コンタクトレンズであって、上記遠用部、上記中間部、上記近用部が上記レンズ光学領域の所定方向に沿って一方端側から他方端側へ順次配置され、上記所定方向に沿う上記レンズ光学領域の度数分布が、下記式（１）に従って設定され、上記所定方向は、上記累進多焦点コンタクトレンズの装用時において眼の縦方向から顔の鼻側へ傾斜して設定されたことを特徴とするものである。
【数１】
0004807801.tif 000003
但し、式（１）中の各符号は下記のとおり定義する。
ＰｏｗｅｒＤｉｓｔ：度数分布（単位；Ｄ（ディオプター））
Ｐ−Ｐｏｗｅｒ：レンズ光学領域の一方端点の度数（単位；Ｄ）
Ｍａｘ−Ａｄｄ：レンズ光学領域の一方端点と他方端点との度数差（単位；Ｄ）
Ｂｎｆ：レンズ光学領域の一方端点から遠用部の遠用度数と近用部の近用度数の境界までの距離（単位；ｍｍ）
Ｗａｖｅ：度数変化係数（うねり度）
ｘ：レンズ光学領域の一方端点からの距離（単位；ｍｍ）
−２５Ｄ≦Ｐ−Ｐｏｗｅｒ≦＋２５Ｄ
±０Ｄ≦Ｍａｘ−Ａｄｄ≦＋８Ｄ
０．５ｍｍ≦Ｂｎｆ≦７ｍｍ
１≦Ｗａｖｅ≦８
【００１４】
請求項３に記載の発明は、請求項１または２に記載の発明において、上記累進多焦点コンタクトレンズは、所定方向に沿う端部側に、当該レンズの回転を防止する回転防止機構を備えたコンタクトレンズであることを特徴とするものである。
【００１５】
さらに、請求項３に記載の発明は、上記回転防止機構が、上記累進多焦点コンタクトレンズの上記所定方向に沿う他方端側に設けられたプリズムバラストであることを特徴とするものである。
【００１８】
請求項４に記載の発明は、請求項１〜３のいずれかに記載の発明において、上記レンズ光学領域の表面と裏面の一方に、このレンズ光学領域の所定方向に沿って式（１）に従う度数分布が設定され、上記表面と裏面の他方が、乱視矯正機能を備えたトーリック面に形成されたことを特徴とするものである。
【発明の効果】
【００２０】
請求項１に記載の発明によれば、レンズ上部側がすべて遠用部となるため、レンズの度数分布が同心円状のレンズよりも明瞭な遠方視が可能となり、しかもレンズの度数が連続的に変化することで像のジャンプやゴーストの発生を抑えることができる。【００２１】
また、請求項１に記載の発明によれば、数学的に不連続な点を存在させることなくレンズ光学面全体の度数を連続的に変化させることが可能となり、像の質の向上や像のジャンプ防止に役立つことになる。
【００２２】
さらに、請求項１に記載の発明によれば、眼用レンズにおけるレンズ光学領域の所定方向に沿う度数分布が式（１）に従って設定されたことから、眼用レンズのレンズ光学領域における度数分布を、眼用レンズ装用者の眼の処方に適合した具体的な度数配分とすることが可能となる。従って、眼用レンズの遠用部と近用部のそれぞれにおける度数変動を小さくできるので、遠用部と近用部のそれぞれにおいて安定した像を確保できる。
【００２３】
また、眼用レンズにおけるレンズ光学領域の所定方向に沿う度数分布が式(１)に従って設定されたことから、眼用レンズの遠用部、中間部、近用部間を移動する視線の変化や眼用レンズの動きに対応した微妙な度数変化をレンズ光学領域に与えることができる。このため、像のぼけやゴーストを最小限に抑制でき、像のコントラストの低下を防止できると共に、過大な度数変化による像の揺れやジャンプの発生を抑制でき、これらの結果、明瞭な像を確保できる。【００２４】
請求項２に記載の発明によれば、レンズ光学領域の所定方向が、眼用レンズの装用時において眼の縦方向から顔の鼻側へ傾斜して設定されたことから、遠用部、中間部及び近用部がレンズ光学領域において顔の鼻側へ傾斜して配置されるので、近方視において輻輳する眼の特性に良好に対応することができる。
【００２５】
請求項３に記載の発明によれば、眼用レンズが、所定方向に沿う端部側に回転防止機構を備えたコンタクトレンズであることから、眼の角膜上に装着されるコンタクトレンズの回転が上記回転防止機構により防止または抑制される。従って、このコンタクトレンズの遠用部及び近用部によって常に明瞭な像を安定して得ることができる。
【００２７】
請求項４に記載の発明によれば、レンズ光学領域の表面と裏面の一方に、このレンズ光学領域の所定方向に沿って式（１）に従う度数分布が設定され、上記表面と裏面の他方が、乱視矯正機能を備えたトーリック面に形成されたことから、このトーリック面は、式（１）に従う度数分布とは無関係に乱視矯正機能を果たすことができる。従って、このトーリック面は、倒乱視、直乱視及び斜乱視などほとんど全ての乱視に対して矯正機能を発揮することができる。
【発明を実施するための最良の形態】
【００２９】
[Ａ]第１の実施の形態
以下、本発明を実施するための最良の形態を、図面に基づき説明する。
図１は、本発明に係る眼用レンズの第１の実施の形態である遠近両用コンタクトレンズを示す正面図である。図２は、図１のII‐II線に沿う断面図である。図５は、図３のレンズ光学領域における度数分布（遠用部がマイナス度数の場合）を示すグラフである。図６は、図３のレンズ光学領域における度数分布（遠用部がプラス度数の場合）を示すグラフである。【００３０】
図１に示す遠近両用コンタクトレンズ１０は、老視眼など視力調節能力に劣る眼に適用されて、視力調節力を補助するための眼用レンズであり、中央部分のレンズ光学領域１１内に多数の度数を累進的に存在させた累進多焦点のコンタクトレンズである。つまり、この遠近両用コンタクトレンズ１０のレンズ光学領域１１には、遠方視力を補助するための遠用度数を有する遠用部１２と、近方視力を補助するための近用度数を有する近用部１３と、これらの遠用部１２と近用部１３との間で度数を累進的に変化させた中間部１４とが備えられる。また、この遠近両用コンタクトレンズ１０には、レンズ光学領域１１の外周に、遠近両用コンタクトレンズ１０を眼１の角膜２（共に図９参照）上に載せるためのフランジ部１５が一体に設けられている。【００３１】
尚、図９中の符号３は、光を取り込むための瞳孔、符号４は強膜、符号５は上眼瞼、符号６は下眼瞼をそれぞれ示す。【００３２】
図１及び図３に示すように、上記遠用部１２、中間部１４、近用部１３は、レンズ光学領域１１の所定方向、即ちレンズ光学領域１１の縦軸Ｎ方向に沿って、レンズ光学領域１１の一方端側としての上端点Ａ側から、レンズ光学領域１１の他方端側としての下端点Ｂ側へと順次配置される。尚、上記レンズ光学領域１１の縦軸Ｎ方向は、遠近両用コンタクトレンズ１０を眼１に装着したときの眼１の縦方向（上下方向）と一致する方向である。このとき、レンズ光学領域１１の度数分布は、レンズ光学領域１１の縦軸Ｎ方向に沿って左右対称に変化し、即ち、縦軸Ｎに直交する横軸Ｍ方向では度数が同一であるが、縦軸Ｎ方向に配置された遠用部１２から中間部１４を経て近用部１３に至るに従い度数が増大するように設定される。ここで、上記レンズ光学領域１１の縦軸Ｎは、レンズ光学領域１１の中心Ｐを通り、且つ上端点Ａから下端点Ｂへ至る直線である。【００３３】
具体的には、レンズ光学領域１１における縦軸Ｎ方向に沿う度数分布は、下記式（１）に従って設定される。
【数２】
0004807801.tif 000004
但し、式（１）中の各符号は下記のとおり定義する。
ＰowerDist：度数分布（単位；Ｄ（ディオプター））
P-Power：レンズ光学領域１１の上端点Ａの度数（単位；Ｄ）
Max-Add：レンズ光学領域１１の上端点Ａと下端点Ｂとの度数差（単位；Ｄ）
Ｂnf：レンズ光学領域１１の上端点Ａから遠用部１２の遠用度数と近用部１３の近用度数の境界までの距離（単位；ｍｍ）
Ｗave：度数変化係数（うねり度）
ｘ：レンズ光学領域１１の上端点Ａからの距離（単位；ｍｍ）【００３４】
ここで、上記P-Power、上記Max-Add、上記Ｂnf、上記Ｗaveの値の範囲は、
-２５Ｄ≦P-Power≦+２５Ｄ
±０Ｄ≦Max-Add≦+８Ｄ
０．５ｍｍ≦Ｂnf≦７ｍｍ
１≦Ｗave≦８
にそれぞれ設定される。【００３５】
この式（１）により設定されたレンズ光学領域１１の縦軸Ｎ方向に沿う度数分布を図５及び図６に示す。これらの図５及び図６では、縦軸が度数（Ｄ）を示し、横軸がレンズ光学領域１１の上端点Ａからの距離Ｘ（ｍｍ）を示す。図５は、遠用部１２がマイナス度数の近視眼に用いられる遠近両用コンタクトレンズ１０の場合を示し、図６は、遠用部１２がプラス度数の遠視眼に用いられる遠近両用コンタクトレンズ１０の場合を示す。【００３６】
遠近両用コンタクトレンズ１０のレンズ光学領域１１の度数分布は、遠近両用コンタクトレンズ１０の装用者の眼の処方から、必要な遠用視力補正度数及び近用視力補正度数をそれぞれ求め、これらの補正度数などからP-Power、Max-Add、Ｂnf及びＷaveを定め、これらの値を式（１）に代入することによって設定される。このように、遠近両用コンタクトレンズ１０のレンズ光学領域１１における縦軸Ｎ方向に沿う度数分布が式（１）によって設定されることで、レンズ装用者の眼の処方に適合した具体的な度数配分を実現することが可能となり、且つ、レンズ光学領域１１の遠用部１２、中間部１４、近用部１３を移動する視線の変化や、遠近両用コンタクトレンズ１０の動きに対応した微妙な度数変化をレンズ光学領域１１（特に遠用部１２、中間部１４、近用部１３の各境界領域）に与えることが可能となる。【００３７】
このようにして設定されたレンズ光学領域１１の度数分布は、このレンズ光学領域１１の表面である凸面１６Ａと、裏面である凹面１６Ｂ（共に図２）との少なくとも一方の曲率半径Ｒを、遠用部１２から中間部１４を経て近用部１３に至る範囲で変化、つまり順次短くすることにより実現される。一般に、コンタクトレンズでは、レンズ光学領域１１の凹面１６Ｂが、レンズ装用者の眼１の角膜２の形状に沿った球面または非球面形状に形成されるので、上記曲率半径Ｒの変化は、レンズ光学領域１１の凸面１６に対して実施される。【００３８】
このレンズ光学領域１１の凸面１６への曲率半径Ｒの変化は、図３及び図４に示すように、レンズ光学領域１１の縦軸Ｎに平行な回転軸Ｃ（後述）からの曲率半径Ｒが横軸Ｍ方向に対しては同一であるが、縦軸Ｎ方向に沿って上端点Ａでは最大であり（Ｒ＝Ｒｈ１）、遠用部１２、中間部１４、近用部１３へ至るに従って順次減少し（Ｒ＝Ｒｈ２、Ｒｈ３、Ｒｈ４）、下端点Ｂにおいて最小（Ｒ＝Ｒｈ５）となることで実施される。更に詳説すると、レンズ光学領域１１において、上端点Ａでは曲率半径Ｒｈ１に、同一の横軸Ｍ上の点ａ、点ｂ、点ｃでは同一の曲率半径Ｒｈ２に、他の同一の横軸Ｍ上の点ｄ、点ｅ、点ｆでは同一の曲率半径Ｒｈ３に、更に他の同一の横軸Ｍ上の点ｇ、点ｈ、点ｉでは同一の曲率半径Ｒｈ４に、下端点Ｂでは曲率半径Ｒｈ５にそれぞれ設定される。【００３９】
また、図１に示すように、この遠近両用コンタクトレンズ１０では、レンズ光学領域１１の縦軸Ｎ方向に沿う下端点Ｂ側に、回転防止機構としてのプリズムバラスト１７が形成されている。このプリズムバラスト１７は、図２に示すように、レンズ光学領域１１の下端点Ｂ側部分を厚肉形状に加工して重りとして機能させ、眼１の角膜２上に装着される遠近両用コンタクトレンズ１０の回転を防止または抑制して、レンズ光学領域１１の下端点Ｂが常に下方位置に位置づけられるようにする。このプリズムバラスト１７の存在によって、眼１の角膜２上に装着された遠近両用コンタクトレンズ１０は、レンズ光学領域１１の遠用部１２が眼１の上方に、近用部１３が眼１の下方にそれぞれ常に安定して位置づけられることになる。【００４０】
レンズ光学領域１１の凸面１６Ａに前述のような曲率半径Ｒを形成し、且つレンズ光学領域１１の下端点Ｂ側に上記プリズムバラスト１７を形成して加工する遠近両用コンタクトレンズ１０の製造工程を、図７及び図８を用いて説明する。【００４１】
一の製造工程では、図７に示すように、遠近両用コンタクトレンズ１０に加工されるコンタクトレンズ素材２０がレンズ保持体２１に保持されて回転軸Ｃ回りに回転され、切削工具２２が原点Ｏを中心に回動する間に、この切削工具２２が原点Ｏに対してＥ方向に接近または離反し、切削工具２２と原点Ｏとの距離Ｌを変動させる。遠近両用コンタクトレンズ１０の上端点Ａに対応する位置から回動する切削工具２２の回動角度θが増大するに従って、切削工具２２を原点Ｏに接近させることで、レンズ光学領域１１に前述の曲率半径Ｒを有する凸面１６Ａを形成すると共に、プリズムバラスト１７を加工して、遠近両用コンタクトレンズ１０を製造する。【００４２】
他の製造工程では、図８に示すように、コンタクトレンズ素材２０がレンズ保持体２１に保持されて回転軸Ｃ回りに回転される間に、切削工具２２をレンズ光学領域１１の縦軸Ｎ方向と一致するＧ方向、及びこのＧ方向に直交するＦ方向に移動させることで、レンズ光学領域１１に前述の曲率半径Ｒを有する凸面１６Ａを形成すると共に、プリズムバラスト１７を加工して、遠近両用コンタクトレンズ１０を製造する。【００４３】
図９に示すように、上述のようにして製造された遠近両用コンタクトレンズ１０を眼１の角膜２に装着したとき、遠近両用コンタクトレンズ１０にプリズムバラスト１７が設けられているため、レンズ光学領域１１の遠用部１２が眼１の上方に、近用部１３が眼１の下方に安定して位置づけられる。このため、遠方視においては、眼１の瞳孔３の大部分が遠近両用コンタクトレンズ１０の遠用部１２に対応付けられるので、この瞳孔３は、遠近両用コンタクトレンズ１０の遠用部１２からの光をより多く取り込むことになり、遠用部１２により明瞭な遠方視像を得ることが可能となる。また、近方視である下方視においては、下眼瞼６が遠近両用コンタクトレンズ１０を上方へ押し上げることになるので、眼１の瞳孔３の大部分が遠近両用コンタクトレンズ１０の近用部１３に対応付けられ、この瞳孔３は、遠近両用コンタクトレンズ１０の近用部１３からの光をより多く取り込むことになり、近用部１３により明瞭な近方視像を得ることが可能となる。【００４４】
以上のように構成されたことから、上記実施の形態によれば、次の効果（１）〜（４）を奏する。
（１）遠近両用コンタクトレンズ１０におけるレンズ光学領域１１の縦軸Ｎ方向に沿う度数分布が式（１）に従って設定されたことから、遠近両用コンタクトレンズ１０のレンズ光学領域１１における度数分布を、レンズ装用者の眼１の処方に適合した具体的な度数配分とすることが可能となる。従って、遠近両用コンタクトレンズ１０の遠用部１２と近用部１３のそれぞれにおける度数変動を小さくできるので、遠用部１２と近用部１３のそれぞれにおいて安定した像（遠方視像、近方視像）を確保できる。【００４５】
（２）遠近両用コンタクトレンズ１０におけるレンズ光学領域１１の縦軸Ｎ方向に沿う度数分布が式（１）によって設定されたことから、遠近両用コンタクトレンズ１０の遠用部１２、中間部１４、近用部１３間を移動する視線の変化や遠近両用コンタクトレンズ１０の動きに対応した微妙な度数変化をレンズ光学領域１１(特に遠用部１２、中間部１４、近用部１３間の境界)に与えることができる。このため、像のぼけやゴーストを最小限に抑制でき、像のコントラストの低下を防止できると共に、過大な度数変化による像の揺れやジャンプの発生を抑制でき、これらの結果、明瞭な像を確保することができる。【００４６】
（３）遠近両用コンタクトレンズ１０のレンズ光学領域１１における縦軸Ｎ方向に沿って上端点Ａ側から下端点Ｂ側へ遠用部１２、中間部１４、近用部１３が順次配置されたことから、遠用部１２を遠方視における必要な箇所（レンズ光学領域１１の上方側部分）に、近用部１３を近方視における必要な箇所（レンズ光学領域１１の下方側部分）に、それぞれ広く設定できる。この結果、視力補助効率のよい遠近両用コンタクトレンズ１０を得ることができる。【００４７】
（４）遠近両用コンタクトレンズ１０が、レンズ光学領域１１の縦軸Ｎ方向に沿う下端点Ｂ側に回転防止機構としてのプリズムバラスト１７を備えたことから、眼１の角膜２上に装着される遠近両用コンタクトレンズ１０の回転が上記プリズムバラスト１７により防止または抑制される。従って、この遠近両用コンタクトレンズ１０の遠用部１２及び近用部１３を通して、それぞれ明瞭な遠方視像、近方視像を安定して得ることができる。【００４８】
図１０は、図１の遠近両用コンタクトレンズの変形例を示す正面図である。この変形例において、前記第１の実施の形態における遠近両用コンタクトレンズ１０と同様な部分は、同一の符号を付すことにより説明を省略する。【００４９】
この変形例での遠近両用コンタクトレンズ３０では、遠用部１２、中間部１４、近用部１３が順次配置されるレンズ光学領域１１の所定方向は、眼１の縦方向（上下方向）と一致するレンズ光学領域１１の縦軸Ｎ方向から、顔の鼻側へ傾斜した傾斜軸Ｋ方向である。従って、レンズ光学領域１１の前記上端点Ａ、下端点Ｂはこの傾斜軸Ｋ上に設定されることになる。また、プリズムバラスト１７は、レンズ光学領域１１において縦軸Ｎ上の下端点ＢＢ側に設けられる。【００５０】
このように、レンズ光学領域１１の縦軸Ｎから鼻側に傾斜した傾斜軸Ｋに沿って遠用部１２、中間部１４、近用部１３が順次配置されたことから、近方視において輻輳する眼の特性に良好に対応できる。つまり、近方視において眼１の瞳孔３の更に多くの部分が遠近両用コンタクトレンズ１０の近用部１３に対応付けられることになるので、この瞳孔３は、遠近両用コンタクトレンズ１０の近用部１３を通過した光を更により多く取り込むことができ、明瞭な近方視像を確保できる。その他、この変形例においても、前記実施の効果（１）〜（４）と同様な効果を奏する。【００５１】
図１１は、図１の遠近両用コンタクトレンズの他の変形例を示す正面図である。この他の変形例においても、前記第１の実施形態の遠近両用コンタクトレンズ１０と同様な部分は、同一の符号を付すことにより説明を省略する。【００５２】
この他の変形例の遠近両用コンタクトレンズ４０は、前記第１の実施形態の遠近両用コンタクトレンズ１０における回転防止機構を異ならせたものであり、プリズムバラスト１７の代わりに、フランジ部１５における縦軸Ｎ方向の両端部を切り欠いてスラブオフ部４１及び４２を形成したものである。遠近両用コンタクトレンズ４０が眼１の角膜２上に装着されたとき、スラブオフ４１、４２が上眼瞼５、下眼瞼６にそれぞれ抑えられることで、遠近両用コンタクトレンズ４０の回転が防止される。尚、上記スラブオフ４１、４２は、遠近両用コンタクトレンズ４０におけるフランジ部１５の片側端部にのみ形成されてもよい。従って、この他の変形例においても、前記第１の実施の形態における遠近両用コンタクトレンズ１０の効果（１）〜（４）と同様な効果を奏する。【００５３】
［Ｂ］第２の実施の形態
この第２の実施の形態における遠近両用コンタクトレンズ１０は、レンズ光学領域１１の凸面１６Ａまたは凹面１６Ｂの少なくとも一方（通常は凸面１６Ａ）に、前記第１の実施の形態と同様に、当該レンズ光学領域１１の縦軸Ｎ方向に沿って式（１）に従う度数分布が設定されると共に、この度数分布が設定されたと同一の凸面１６Ａ、凹面１６Ｂ（通常は凸面１６Ａ）に乱視度数が設定される。この乱視度数は、式（１）の度数分布が設定される縦軸Ｎ方向に対し直交する横軸Ｍ方向に沿って設定される。【００５４】
従って、この第２の実施の形態における遠近両用コンタクトレンズ１０によれば、式（１）に従って設定された度数分布に基づく遠用部１２、近用部１３によって、遠方視力、近方視力をそれぞれ補助する機能を発揮できる他、乱視（特に倒乱視、直乱視など）を矯正する機能を発揮できる。【００５５】
［Ｃ］第３の実施の形態
この第３の実施の形態における遠近両用コンタクトレンズ１０は、レンズ光学領域１１の凸面１６Ａまたは凹面１６Ｂの一方（通常は凸面１６Ａ）において、レンズ光学領域１１の縦軸Ｎ方向に沿って式（１）に従う度数分布が設定されると共に、凸面１６Ａまたは凹面１６Ｂの他方（通常は凹面１６Ｂ）が乱視矯正機能を備えたトーリック面に形成されている。このトーリック面は、レンズ装用者の眼１における乱視状態の角膜２の形状に対応して形成される。【００５６】
乱視状態の角膜２は、直交する２軸の曲率半径が異なることから、当該遠近両用コンタクトレンズ１０のレンズ光学領域１１における凹面１６Ｂに形成されるトーリック面は、上述の乱視状態の角膜２の形状に対応して、曲率半径が異なった直交する２軸を有して形成される。【００５７】
このように、この第３の実施の形態における遠近両用コンタクトレンズ１０は、レンズ光学領域１１の凸面１６Ａに、このレンズ光学領域１１の縦軸Ｎ方向に沿って式（１）に従う度数分布が設定され、凹面１６Ｂが、乱視矯正機能を備えたトーリック面に形成されたことから、このトーリック面は、式（１）に従う度数分布とは無関係に乱視矯正機能を具備することができる。従って、この凹面１６Ｂのトーリック面は、倒乱視、直乱視及び斜乱視などほとんど全ての乱視に対して乱視矯正機能を発揮できる。【００５８】
また、第３の実施の形態における遠近両用コンタクトレンズ１０では、凹面１６Ｂが乱視状態の角膜２の形状に対応して形成されたトーリック面であることから、この凹面１６Ｂを、レンズ装用者の眼１の角膜２に装着することで乱視矯正機能を発揮できると共に、当該遠近両用コンタクトレンズ１０の回転防止機能も発揮できる。しかも、遠近両用コンタクトレンズ１０におけるレンズ光学領域１１の縦軸Ｎ方向に沿う端部側にプリズムバラスト１７またはスラブオフ４１、４２等の回転防止機構を有する場合には、上述のトーリック面による回転防止機能との相乗効果によって、この遠近両用コンタクトレンズ１０の回転防止を、より一層効果的に実現できる。【００５９】
以上、本発明を上記実施の形態に基づいて説明したが、本発明はこれに限定されるものではない。例えば、上記第１の実施の形態及び両変形例、第２の実施形態並びに第３の実施形態では、眼用レンズがコンタクトレンズの場合を述べたが、眼内に組み込まれる眼内レンズや、角膜２から離間して装着される眼鏡の眼鏡レンズであってもよい。
【図面の簡単な説明】
【００６０】
【図１】本発明に係る眼用レンズの第１の実施の形態である遠近両用コンタクトレンズを示す正面図である。
【図２】図１のII‐II線に沿う断面図である。
【図３】図１の遠近両用コンタクトレンズのレンズ光学領域を示し、（Ａ）が正面図、（Ｂ）が側面図である。
【図４】図３のレンズ光学領域の形状を示す斜視図である。
【図５】図３のレンズ光学領域における度数分布（遠用部がマイナス度数の場合）を示すグラフである。
【図６】図３のレンズ光学領域における度数分布（遠用部がプラス度数の場合）を示すグラフである。
【図７】図１の遠近両用コンタクトレンズの製造工程を示す斜視図である。
【図８】図１の遠近両用コンタクトレンズの他の製造工程を示す斜視図である。
【図９】図１の遠近両用コンタクトレンズの使用状態を、眼球と共に示す側面図である。
【図１０】図１の遠近両用コンタクトレンズの変形例を示す正面図である。
【図１１】図１の遠近両用コンタクトレンズの他の変形例を示す正面図である。
【図１２】従来の同時視型で、同心円形状の度数分布を示す遠近両用コンタクトレンズの正面図である。
【符号の説明】
【００６１】
１  眼
２  角膜
３  瞳孔
１０  遠近両用コンタクトレンズ
１１  レンズ光学領域
１２  遠用部
１３  近用部
１４  中間部
１７  プリズムバラスト
３０  遠近両用コンタクトレンズ
Ｎ  縦軸（所定方向）
Ａ  上端点（一方端）
Ｂ  下端点（他方端）
Ｋ  傾斜軸（所定方向）
【図１】
0004807801.tif 000007
【図２】
0004807801.tif 000008
【図３】
0004807801.tif 000009
【図４】
0004807801.tif 000010
【図７】
0004807801.tif 000011
【図８】
0004807801.tif 000012
【図９】
0004807801.tif 000013
【図１０】
0004807801.tif 000014
【図１１】
0004807801.tif 000015
【図１２】
0004807801.tif 000016
【図５】
0004807801.tif 000017
【図６】
0004807801.tif 000018